(57)【要約】【課題】  分解性が向上される結合構造を提供する。【解決手段】  被取付部材３２の突起部３３は、当該突起部３３の突起方向に形成されたスリット３３１を挟んで対向し、突起部３３がストッパ３１の開口部３１１に嵌入された場合の抜け止め用の抜止部３０１１を外周面側に備えた可撓性を有する２つの柱状体３０２と、各柱状体３０２の先端に一体的に形成され、当該各柱状体３０２をスリット３３１側に向けて撓ませるべく掴み持つための掴持部３０３とからなる。これら掴持部３０３には、切欠部３０４が形成され、各柱状体３０２がスリット３３１側に向けて撓んだ場合に、一方の掴持部３０３における切欠部３０４が他方の掴持部３０３における非切欠部３０５の位置に挿し込まれて掴持部３０３同士の干渉が回避され、掴持部３０３が互いに交差した状態となる。【選択図】  図３
2005155845.tif 000002
【特許請求の範囲】
【請求項１】
所定の突起部を有する第１の部材と、前記突起部が嵌入される開口部を有する第２の部材とを備えて互いに脱着自在に結合する結合構造であって、
前記第１の部材の突起部は、当該突起部の突起方向に形成されたスリットを挟んで対向し、突起部が第２の部材の開口部に嵌入された場合の抜け止め用の抜止部を外周面側に備えた可撓性を有する２つの柱状体と、各柱状体の先端に一体的に形成され、当該各柱状体を前記スリット側に向けて撓ませるべく掴み持つための掴持部とからなり、
前記掴持部には、所定の切欠部が形成され、
前記切欠部は、各柱状体をスリット側に向けて撓ませた場合に、掴持部同士の干渉を回避させ、掴持部が互いに交差した状態となることを許容させる切欠部であることを特徴とする結合構造。
【請求項２】
前記掴持部は、一方の掴持部における切欠部と他方の掴持部における非切欠部とがスリットを挟んで対向する位置となるべく、それぞれ前記突起方向に対する片側が欠切されてなる切欠部が形成されていることを特徴とする請求項１記載の結合構造。
【請求項３】
前記第１及び第２の部材は、リサイクル対象となる電気・機械装置類の構成部材に組み付けられるものであって、かつ、第１及び第２の部材は、異種材料の成形品からなることを特徴とする請求項１又は２記載の結合構造。
【発明の詳細な説明】
【技術分野】
【０００１】
本発明は、回転体等の取付部材及びこの取付部材が取り付けられる本体等の被取付部材の２つの部材を互いに結合するための結合構造に関する。
【背景技術】
【０００２】
従来、各種の電気・機械装置類、例えば複写機等の画像形成装置は、図８（ａ）に示すように、ギアやプーリといった回転体等の部材８０１と、この部材８０１が取り付けられる本体等の部材８０２とを有し、部材８０１を部材８０２に脱着自在に結合させる結合構造を備えている（部材８０１が上記本体等の取り付けられる側であり、部材８０２が上記回転体等の取り付ける側であってもよい）。この部材８０２の突起部８０３には、溝（スリット）部８０４を挟んで対向する、少なくとも符号Ａに示す矢印方向に撓むことが可能な２つの柱状突起部８０５を有した所謂スナップフィット部８０６が設けられている。部材８０１を部材８０２に取り付ける場合、このスナップフィット部８０６を上記矢印方向に撓ませつつ部材８０１の挿通孔８０７に挿通させることにより、当該スナップフィット部８０６（突起部８０３）に部材８０１を嵌入する。なお、スナップフィット部８０６の先端部には、図８（ｂ）に示すように当該嵌入された状態の部材８０１の抜け止めを防止するための爪状の抜止部８０８が設けられている。
【０００３】
一方、上記嵌入された状態において、部材８０２から部材８０１を取り外す場合、抜止部８０８を指あるいはペンチやプライヤといった工具によって抜止部８０８を摘み、上記矢印方向に力を加えて２つの柱状突起部８０５（スナップフィット部８０６）を互いに対向する向き（内側）に撓ませつつ、突起部８０３から部材８０１を抜き取る。
【０００４】
ところで、昨今、資源の分別リサイクルを行うべく装置分解時において各材料（材質）毎に分別することが要求されており、例えば部品が折れて破損したり、あるいは分解に時間がかかってしまうといったことなく分解が容易に行えること、すなわち、分解性の向上が求められている。
【０００５】
この観点から、図８（ｃ）に示すように、部材８０２のスナップフィット部８０６（抜止部８０８）の先端部に、指等によって摘み易くするための摘み部８０９を当該スナップフィット部８０６に対して一体的に設けるようにし、これにより、部材８０１と部材８０２との分解性の向上を図る構成が開示されている（例えば、特許文献１の図３参照）。
【特許文献１】特開２００３−２０６９１５号公報
【発明の開示】
【発明が解決しようとする課題】
【０００６】
しかしながら、上述のように摘み易くするべく摘み部８０９等を設けることによりスナップフィット部８０６が延長されると、図９に示すように、スナップフィット部８０６が内側に撓み、摘み部８０９同士が接点９０１で当接した場合におけるストローク９０２（撓み量、可動範囲）が短く（小さく）なってしまう。これにより、部材８０１を部材８０２から抜き取る際に、抜止部８０８の部材８０２（の挿通孔８０７の周縁部）に対する引っ掛かりが外れ難くなるなどして、当該分解性が低下してしまう。
【０００７】
そこで、本発明は上記事情に鑑みてなされたもので、スナップフィット部８０６を撓める際に当該スナップフィット部８０６が摘み易くなるとともに、上記抜止部８０８の引っ掛かりが外れ易くなり部材８０２から部材８０１が抜き取り易くされるなどして、当該結合構造を有する各種機器の分解性をより向上することができ、ひいては各種機器の分別リサイクルを容易に行うことができる結合構造を提供することを目的とする。
【課題を解決するための手段】
【０００８】
請求項１記載の発明は、所定の突起部を有する第１の部材と、前記突起部が嵌入される開口部を有する第２の部材とを備えて互いに脱着自在に結合する結合構造であって、
前記第１の部材の突起部は、当該突起部の突起方向に形成されたスリットを挟んで対向し、突起部が第２の部材の開口部に嵌入された場合の抜け止め用の抜止部を外周面側に備えた可撓性を有する２つの柱状体と、各柱状体の先端に一体的に形成され、当該各柱状体を前記スリット側に向けて撓ませるべく掴み持つための掴持部とからなり、前記掴持部には、所定の切欠部が形成され、前記切欠部は、各柱状体をスリット側に向けて撓ませた場合に、掴持部同士の干渉を回避させ、掴持部が互いに交差した状態となることを許容させる切欠部であることを特徴とする結合構造である。
【０００９】
請求項２記載の発明は、上記請求項１記載の結合構造において、前記掴持部は、一方の掴持部における切欠部と他方の掴持部における非切欠部とがスリットを挟んで対向する位置となるべく、それぞれ前記突起方向に対する片側が欠切されてなる切欠部が形成されていることを特徴とする。
【００１０】
請求項３記載の発明は、上記請求項１又は２記載の結合構造において、前記第１及び第
２の部材は、リサイクル対象となる電気・機械装置類の構成部材に組み付けられるものであって、かつ、第１及び第２の部材は、異種材料の成形品からなることを特徴とする。
【発明の効果】
【００１１】
請求項１記載の発明によれば、第１の部材の突起部は、当該突起部の突起方向に形成されたスリットを挟んで対向し、突起部が第２の部材の開口部に嵌入された場合の抜け止め用の抜止部を外周面側に備えた可撓性を有する２つの柱状体と、各柱状体の先端に一体的に形成され、当該各柱状体をスリット側に向けて撓ませるべく掴み持つための掴持部とからなり、これら掴持部には、所定の切欠部が形成され、当該切欠部は、各柱状体をスリット側に向けて撓ませた場合に、掴持部同士の干渉を回避させ、掴持部が互いに交差した状態となることを許容させる切欠部となっている。
【００１２】
このように、掴持部を備えることで各柱状体を撓ませる際に抜止部を掴み（摘み）易くなるとともに、掴持部同士が干渉しない態様、すなわち、当該掴持部が互いに交差した状態となるまで各柱状体を撓ませることができるため、第１の部材の突起部が第２の部材の開口部に嵌入されている場合に、抜止部を当該開口部の縁（周縁部）から外して第２の部材（第１の部材）を第１の部材（第２の部材）から取り外し易くなり、従って、第１及び第２の部材からなるような結合構造を有する機器（例えば複写機等の画像形成装置）の分解性を向上することができ、ひいては、当該機器の分別リサイクルを容易に行えるようになる。
【００１３】
請求項２記載の発明によれば、各掴持部には、一方の掴持部における切欠部と他方の掴持部における非切欠部とがスリットを挟んで対向する位置となるべく、それぞれ突起部の突起方向に対する片側が欠切されてなる切欠部が形成されている。これにより、柱状体を撓ませた場合に掴持部を交差させるための構造を簡易なものとすることができる。
【００１４】
請求項３記載の発明によれば、第１及び第２の部材は、リサイクル対象となる電気・機械装置類の構成部材に組み付けられるものであって、かつ、第１及び第２の部材は、異種材料の成形品からなる。
【００１５】
このように、電気・機械装置類の各種機器に組み付けられた第１及び第２の部材が異種材料で構成されている場合、リサイクル時にこれら両者を分別する要請が高くなるが、本結合構造を用いることにより、これら各種機器の分解性を向上することができ、分別リサイクルを容易に行えるようになる。
【発明を実施するための最良の形態】
【００１６】
以下、本発明に係る結合構造、及び画像形成装置の一例としての複写機について図面を参照しながら説明する。まず、本発明の結合構造が適用される画像形成装置について説明する。図１は、本発明の一実施形態に係る結合構造が適用される画像形成装置の一例である複写機の構成を概略的に示す断面図である。複写機１は、装置本体部２と、装置本体部２の左方に配設されたスタックトレイ３と、装置本体部２の上部に配設された原稿読取部５と、原稿読取部５の上方に配設された原稿給送部６とを備えている。また、複写機１のフロント部には、ユーザが印刷実行指示を入力するためのスタートキー４７１と、印刷部数等を入力するためのテンキー４７２と、各種複写動作の設定等を入力するための操作ガイド情報等を表示すると共に、各種操作指令を入力するための種々の操作ボタン等が表示される液晶表示器（ＬＣＤ）等からなる表示器４７３（ディスプレイ）とを備えて構成される操作部４７が設けられている。
【００１７】
原稿読取部５は、ＣＣＤ（Charge Coupled Device）センサ及び露光ランプ等からなるスキャナ５１と、ガラス等の透明部材により構成された原稿台５２（プラテンガラス）及び原稿読取スリット５３とを備える。スキャナ５１は、図略の駆動部によって移動可能に構成され、原稿台５２に載置された原稿を読み取る場合には原稿台５２に対向する位置に移動され、原稿画像を走査しつつ取得した画像データを後述する制御部１０へ出力する。また、スキャナ５１は、原稿給送部６により搬送された原稿を読み取る場合には原稿読取スリット５３と対向する位置に移動され、原稿読取スリット５３を介して原稿給送部６による原稿の搬送動作と同期して原稿の画像を取得し、当該画像に対する画像データを制御部１０へ出力する。
【００１８】
原稿給送部６は、原稿を載置するための原稿載置部６１と、画像読み取り後の原稿を排出するための原稿排出部６２と、原稿載置部６１に載置された原稿を１枚ずつ順に繰り出して上記原稿読取スリット５３に対向する位置へ搬送し、原稿排出部６２へ排出するための給紙ローラ及び搬送ローラ等からなる原稿搬送機構６３とを備える。また、原稿給送部６は可倒式に構成されており、原稿台５２の上面を開放するように上方に持ち上げることにより、原稿台５２の上面に、読み取り原稿、例えば見開き状態にされた書籍等を載置することが可能に構成されている。
【００１９】
装置本体部２は、それぞれサイズが異なる記録紙を収納する複数の給紙カセット４６１と、装置本体部２の側面部側から手差し給紙用の記録紙を載置する手差し給紙トレイ４６２と、給紙カセット４６１及び手差し給紙トレイ４６２から記録紙を１枚ずつ繰り出して後述する記録部４０へ搬送する給紙ローラ４６３、４６４と、給紙カセット４６１又は手差し給紙トレイ４６２から搬送されてきた記録紙に画像形成を行う記録部４０とを備えている。なお、手差し給紙トレイ４６２の装置本体部２側の基端部には、給紙ローラ４６４とともに、後述するストッパ３１が備えられており、このストッパ３１によって、記録紙が給紙ローラ４６４によって装置本体部２内に取り込まれる前に、手差し給紙トレイ４６２上に載置された記録紙が上記基端部側の奥の方（給紙ローラ４６４の下部）に差し込まれてしまうことが防止される。
【００２０】
記録部４０は、スキャナ５１で取得された画像データに基づいてレーザ光を出力して感光体ドラム４３を露光し、感光体ドラム４３の表面に静電潜像を形成する光学ユニット４２と、上記静電潜像に基づいて感光体ドラム４３上にトナー像を形成する画像形成部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられた搬送ローラ等によって記録紙を搬送してスタックトレイ３又は排出トレイ４８へ排出する用紙搬送装置４６とを備えている。
【００２１】
図２は、図１に示す複写機１の概略構成を示すブロック図である。複写機１は、装置全体の動作制御を司る制御部１０を備えており、この制御部１０は、スキャナ５１等からなる原稿読取部５、原稿搬送機構６３等からなる原稿給送部６、画像形成部４４等からなる記録部４０、テンキー４７２や表示器４７３等を含む操作部４７、画像メモリ７、ＨＤＤ８、ネットワークＩ／Ｆ部９及び画像処理部１１が接続されている。
【００２２】
画像メモリ７は、原稿読取部５によって読み取られた原稿の画像データ、あるいは、後述するネットワークＩ／Ｆ部９を介して図略の外部装置から送信されてきた画像データを一時的に記憶するメモリである。
【００２３】
ＨＤＤ（Hard Disk Drive）８は、原稿読取部５によって読み取られた画像データ並びに上記から送信されてきた画像データ、及び当該画像データに設定されている出力形式等が記憶される記憶装置である。
【００２４】
ネットワークＩ／Ｆ部９は、ネットワークインタフェース（例えば10/100Base-TX）等を用い、ＬＡＮ３などのネットワークを介して接続された外部装置との間における種々のデータの送受信を制御するものである。
【００２５】
制御部１０は、複写機１の制御プログラムを記憶するＲＯＭ（Read Only Memory）、一時的にデータを保管するＲＡＭ（Random Access Memory）、及び制御プログラム等を上記ＲＯＭから読み出して実行するマイクロコンピュータ等からなり、操作部４７等において入力された指示情報や、本装置の各所に設けられた各種センサからの検出信号に応じて装置全体の制御を行う処理を実行するものである。
【００２６】
画像処理部１１は、原稿読取部５による原稿の読み取りによって得られた原稿画像に対する各種画像処理を行うものである。画像処理部１１では、例えば原稿読取部５によって読み取られた原稿画像に対する画像データのＡ／Ｄ変換が行われ、当該Ａ／Ｄ変換された画像データを用いて上記各種画像処理が行われる。
【００２７】
次に、上述の画像形成装置に用いる結合構造について説明する。図３は、本発明の一実施形態に係る結合構造の一例を示す斜視図である。結合構造３０は、回転体としてのストッパ３１（第２の部材）と、ストッパ３１が取り付けられる被取付部材３２（第１の部材）とを備えている。これらストッパ３１と被取付部材３２とは異種の材料（樹脂成形材料）で形成されており、特に、被取付部材３２は可撓性を有する樹脂成形材料からなる。
【００２８】
被取付部材３２には、ストッパ３１を取り付ける際に、当該ストッパ３１の開口部３１１（孔部）に挿通（嵌入）するための外形視略円柱状に突起した突起部３３が、被取付部材３２の本体部３４（ここでは、上記給紙ローラ４６４が取り付けられている所定の箱体（図１参照）を示している）と一体的に形成されており、この突起部３３には、スナップフィット部３０１が設けられている。スナップフィット部３０１は、突起部３３の突起方向に形成されたスリット３３１を挟んで対向し、かつ、突起部３３がストッパ３１の開口部３１１に嵌入されている場合の、当該ストッパ３１の抜けを防止するための抜止部３０１１を外周面側に備えた、可撓性を有する（弾性を有して曲げることが可能な）２つの柱状体３０２と、各柱状体３０２の先端に一体的に形成され、当該各柱状体３０２を互いにスリット３３１側に向けて撓ませるべく、指あるいはペンチやプライヤといった工具等によって掴持する（摘み持つ）ための２つの掴持部３０３とを備えている。
【００２９】
上記２つの掴持部３０３は、それぞれ突起方向に対する片側が欠切されてなる切欠部３０４が形成されている。ただし、この切欠部３０４は、掴持部３０３の基端（根元；各柱状体３０２の先端位置）から先端まで上記突起方向に対する片側が全て欠切されてなる場合を含んでいる。なお、以降、各掴持部３０３における、当該切欠部３０４となっていない部位のことを非切欠部３０５という。
【００３０】
ここで、図５は、突起部３３を正面方向、すなわち、図３の符号Ｂに示す矢印方向から見た場合の概略図を示している。図５に示すように、掴持部３０３における切欠部３０４は、それぞれ、一方の掴持部３０３の切欠部３０４と他方の掴持部３０３の非切欠部３０５とがスリット３３１を挟んで対向する位置に形成されている（各切欠部３０４（非切欠部３０５）が、掴持部３０３において、スリット３３１を挟んで点対称となる位置に形成されている）。掴持部３０３を両側から、すなわち、符号Ｃに示す矢印方向から力を加えると、各掴持部３０３が一体に形成されている柱状体３０２がスリット３３１側に向けて撓み（掴持部３０３も可撓性（弾性）を有し、撓んでもよい）、一方の掴持部３０３における切欠部３０４が他方の掴持部３０３における非切欠部３０５の位置に挿し込まれて２つの掴持部３０３が互いに交差した状態となり、よって掴持部３０３同士の干渉が回避される。
【００３１】
図６は、スナップフィット部３０１を上記図５における符号Ｄに示す矢印方向から見た場合の、当該掴持部３０３が互いに交差した状態を示す概略図である。ただし、柱状部３０２における抜止部３０１１の図示は省略し、また、同図中の符号６０１は、撓む前の状態のスナップフィット部３０１を示しており、符号６０２は、撓んだ状態のスナップフィット部３０１を示している。
【００３２】
同図に示すように、各掴持部３０３における切欠部３０４と非切欠部３０５とが互いに交差した状態で撓むことにより、当該撓んだ場合のスナップフィット部３０１の変位量、すなわち、図６に示すストローク６０３が（従来の図９に示す、撓んだ状態におけるストローク９０２より）大きくなる。スナップフィット部３０１が撓んだ場合のストローク６０３が大きくなることにより、被取付部材３２に取り付けられているストッパ３１を取り外す場合、すなわち、突起部３３からストッパ３１を抜き取る場合に、ストッパ３１の開口部３１１の周縁部に掛止されている抜止部３０１を当該周縁部から外し易くすることができる。
【００３３】
なお、各柱状体３０２は、当該柱状体３０２におけるスリット３３１と反対側の側面部（図３及び図５に示す符号３０６の部位）が、突起部３３を上記符号Ｂに示す矢印方向に見た場合の円形状を切り欠いた所謂「弦」となるような平面部が形成されている。これにより、柱状体３０２が略板状（角柱状）となり、スナップフィット部３０１が撓み易くなる。また、図３における符号３０７は、突起部３３及び本体部３４と一体的に形成されてなる、当該突起部３３に嵌入されたストッパ３１に対する座部（座部３０７）を示している。また、突起部３３における符号３０９に示す範囲の部位は、スリット３３１の底部３
０８と座部３０７との間の部位は、スナップフィット部３０１とともにストッパ３１を軸
支するための支持部（支持部３０９）である。
【００３４】
ところで、ストッパ３１は、上記開口部３１１を有する円筒体３１２（開口部３１１が円筒体３１２の円筒内部に相当）と、外形視略Ｌ字状（逆Ｌ字状）のアーム部３１３とが一体的に形成されている。ストッパ３１は、図４に示すように、開口部３１１にスナップフィット部３０１（突起部３３）が挿通された状態で被取付部材３２に取り付けられる。
当該挿通する際には、スナップフィット部３０１を撓めつつ抜止部３０１１を開口部３１１内に通して、ストッパ３１（の円筒体３１２）を柱状体３０２の位置まで押し込む。
【００３５】
ストッパ３１は、突起部３３に遊嵌されており、符号Ｔに示す矢印方向から差し込まれてきた記録紙をアーム部３１３の側面部３１３１において当接させることによって、当該記録紙の給送を一旦停止させる、所謂ペーパーストッパーとして機能する。記録紙が給送される際には、符号Ｅに示す矢印方向にストッパ３１が回転し、上記符号Ｔに示す矢印方向の搬送路が開かれる。この場合、ストッパ３１の上部に突設された当接部３１３２が、本体部３４に突設された例えば回転停止板３４１に当接して当該ストッパ３１の回転が停止される。ただし、アーム部３１３の角部３４２の位置における本体部３４に図略の支持体が設けられており、この支持体により、アーム部３１３が符号Ｅに示す矢印方向と反対方向に回転しないようになっている。
【００３６】
抜止部３０１１は、図３に示すように、掴持部３０３側に向けて山状（又は傘状）となるように先端側が所謂面取りされた形状となっており、この面取り部にストッパ３１の円筒体３１２（開口部３１１の周縁部）を当接しつつ押し込むことにより、掴持部３０３を両側から掴持することなく、スナップフィット部３０１を撓ませることができる。
【００３７】
なお、上述した結合構造は、手差し給紙部のストッパ３１を備えている箇所だけでなく、複写機１における、例えばギアやプーリといった回転体、あるいは回転体でなく、単に或る一方の部材を他方の部材に取り付けるといった部位の結合構造にも適用される。
【００３８】
以上のとおり、本発明の結合構造３０によれば、被取付部材３２の突起部３３は、当該突起部３３の突起方向に形成されたスリット３３１を挟んで対向し、突起部３３がストッパ３１の開口部３１１に嵌入された場合の抜け止め用の抜止部３０１１を外周面側に備えた可撓性を有する２つの柱状体３０２と、各柱状体３０２の先端に一体的に形成され、当該各柱状体３０２をスリット３３１側に向けて撓ませるべく掴み持つための掴持部３０３とからなり、これら掴持部３０３には、切欠部３０４が形成され、当該切欠部３０４は、各柱状体３０２をスリット３３１側に向けて撓ませた場合に、掴持部３０３同士の干渉を回避させ、掴持部３０３が互いに交差した状態となることを許容させる切欠部となっている。
【００３９】
このように、掴持部３０３を備えることで各柱状体３０２を撓ませる際に抜止部３０１
１を掴み（摘み）易くなり、特殊な工具を用いたりすることなく指等によってより小さい力で柱状体３０２（スナップフィット部３０１）を撓ませることができる。また、掴持部３０３同士が干渉しない態様、すなわち、一方の掴持部３０３における切欠部３０４が他方の掴持部３０３における非切欠部３０５の位置に挿し込まれて掴持部３０３が互いに交差した状態となるまで各柱状体３０２を撓ませることができるため、被取付部材３２の突起部３３がストッパ３１の開口部３１１に嵌入されている場合に、抜止部３０１１を当該開口部３１１の縁（周縁部）から外してストッパ３１（被取付部材３２）を被取付部材３２（ストッパ３１）から取り外し易くなり、よって、ストッパ３１及び被取付部材３２からなるような結合構造を有する機器（例えば複写機等の画像形成装置）の分解性を向上することができる。
【００４０】
とりわけ、ストッパ３１の材料は例えばＰＯＭ（Polyoxymethylene）樹脂であり、被取付部材３２の材料は例えばＡＢＳ（Acrylonitrile Butadiene Styrene）樹脂であるが、このように、本複写機１（画像形成装置）を含む電気・機械装置類の各種機器に設けられた（組み付けられた）結合構造の取り付ける側と取り付けられる側（ここではストッパ３１及び被取付部材３２）の各部材が異種材料で構成されている場合（この場合リサイクル時にこれら両者を分別する要請が高くなるが）、本発明の結合構造を用いることにより、当該各種機器の分解性が向上し、分解時に各部材の折れ等による破損が生じて種類の異なる部材が混ざってしまうといったことが防止され、材料毎に分別してリサイクルすること（分別リサイクル）が容易に行えるようになり、ひいてはリサイクル材の価値（付加価値）を高めることができる。
【００４１】
また、各掴持部３０３には、一方の掴持部３０３における切欠部３０４と他方の掴持部３０３における非切欠部３０５とがスリット３３１を挟んで対向する位置となるべく、それぞれ突起部３３の突起方向に対する片側が欠切されてなる切欠部３０４が形成されている。これにより、柱状体３０２を撓ませた場合に掴持部３０３を交差させるための構造を簡易なものとすることができる。
【００４２】
なお、本発明は以下の態様をとることができる。
【００４３】
（Ａ）本実施形態においては、掴持部３０３に、図５に示すように各掴持部３０３に１
つの切欠部３０４（非切欠部３０５）が形成されているが、例えば図７に示すように、一方の掴持部７１０における符号７０５に示すスリット方向の両端部に切欠部７０１（中央部に非切欠部７０３）が形成され、他方の掴持部７２０における同スリット方向の中央部に切欠部７０２（両端部に非切欠部７０４）が形成されていてもよい。また、これに限らず、一方（他方）の掴持部に３つ以上の切欠部（又は非切欠部）が形成され、当該切欠部及び非切欠部がスリットを挟んで互いに対向するような配置（例えば千鳥配置）となっていてもよい。いずれにしても、スナップフィット部３０１が撓んだときに、掴持部３０３同士の干渉が回避され、掴持部３０３が互いに交差した状態となるような切欠部が形成されている構成であればよい。
【００４４】
（Ｂ）本実施形態においては、図５に示すように各掴持部３０３における切欠部３０４（非切欠部３０５）は、同サイズ（各辺の長さが同じ）に形成されているが、同サイズでなくともよく、例えばスリット３３１を挟んで左右対称でない（点対称でない）形状に形成されていてもよい。また、この場合、各掴持部３０３の突起方向の長さが異なっていてもよい。
【００４５】
（Ｃ）突起部３３（柱状体３０２）は、図５に示すように正面から見て外形が略円形状（真円形状）でなくてもよく、例えば、楕円形状、あるいは正方形や長方体といった角形状であってもよい。ただし、この突起部３３に対して取り付ける部材の開口部の形状は、当該楕円形状や角形状に合わせた形状となっている。
【図面の簡単な説明】
【００４６】
【図１】本発明の一実施形態に係る結合構造が適用される画像形成装置の一例である複写機の構成を概略的に示す断面図である。
【図２】図１に示す複写機の概略構成を示すブロック図である。
【図３】本発明の一実施形態に係る結合構造の一例を示す斜視図である。
【図４】結合構造におけるストッパと被取付部材とが結合された状態を示す斜視図である。
【図５】突起部を正面方向から見た場合の概略図である。
【図６】掴持部が互いに交差した状態を示す概略図である。
【図７】本発明の変形態様に係る突起部を正面方向から見た場合の概略図である。
【図８】従来の結合構造を概略的に示す断面図である。
【図９】従来におけるスナップフィット部のストロークについて説明する図である。
【符号の説明】
【００４７】
１  複写機（画像処理装置）
２  装置本体部
５  原稿読取部
６  原稿給送部
１０  制御部
４６２  手差し給紙トレイ
４６４  給紙ローラ
３０  結合構造
３１  ストッパ（第２の部材）
３１１  開口部
３１２  円筒体
３１３  アーム部
３１３２  当接部
３２  被取付部材（第１の部材）
３３  突起部
３４  本体部
３０１  スナップフィット部
３０１１  抜止部
３０２  柱状体
３０３  掴持部
３０４  切欠部
３０５  非切欠部
３０７  座部
３０８  底部
３０９  支持部
３３１  スリット
６０３  ストローク
４０  記録部
【図１】
2005155845.tif 000003
【図２】
2005155845.tif 000004
【図３】
2005155845.tif 000005
【図４】
2005155845.tif 000006
【図５】
2005155845.tif 000007
【図６】
2005155845.tif 000008
【図７】
2005155845.tif 000009
【図８】
2005155845.tif 000010
【図９】
2005155845.tif 000011